(57)【特許請求の範囲】
【請求項１】
上面に有害動物の誘引物が載置可能になっている載置部分を有し、赤外光が透過可能になっている赤外光透過部材と、
前記赤外光透過部材の下面側から前記載置部分に向けて赤外光を出射する光源と、
前記赤外光透過部材の前記載置部分の上面側から下面側に入射する赤外光の受光量を出力する赤外光センサーと、
前記赤外光センサーの受光量に関連付けられて誘引物の存否が判別可能である存否情報を含む検知情報を無線送信する無線部と、
を備えることを特徴とする有害動物検知装置。
【請求項２】
請求項１に記載の有害動物検知装置において、
前記存否情報は、前記有害動物検知装置の監視開始時において前記載置部分に誘引物の存在するときと存在しないときとの前記赤外光センサーの出力に係る情報を基準情報とし、監視中の前記赤外光センサーの出力に係る監視情報と前記基準情報とに基づいて誘引物の存否を判別可能とする情報であることを特徴とする有害動物検知装置。
【請求項３】
請求項１又は２に記載の有害動物検知装置において、
前記赤外光透過部材の周囲の少なくとも一方向に起立して配置され、赤外光を吸収する赤外光吸収部材を備えることを特徴とする有害動物検知装置。
【請求項４】
請求項３に記載の有害動物検知装置において、
前記赤外光吸収部材は、前記光源を収容するケースの上面側を開閉する蓋として、前記ケースに揺動自在に結合していることを特徴とする有害動物検知装置。
【請求項５】
請求項３又は４に記載の有害動物検知装置において、
前記赤外光吸収部材の前記載置部分側の面は、黒色であることを特徴とする有害動物検知装置。
【請求項６】
請求項１〜５のいずれか１項に記載の有害動物検知装置において、
前記検知情報は、前記有害動物検知装置の識別子情報を含むことを特徴とする有害動物検知装置。
【請求項７】
請求項６に記載の有害動物検知装置において、
前記光源は、所定時間間隔で赤外光を出射することを特徴とする有害動物検知装置。
【請求項８】
請求項７に記載の有害動物検知装置において、
前記存否情報を記憶する記憶部を備え、
前記無線部は、前記記憶部から読み出した前記存否情報を含む前記検知情報を無線送信することを特徴とする有害動物検知装置。
【請求項９】
請求項８に記載の有害動物検知装置において、
前記記憶部は、前記存否情報の生成時の時間情報を記憶し、
前記無線部は、前記記憶部から読み出した前記時間情報を前記検知情報に含めることを特徴とする有害動物検知装置。
【請求項１０】
請求項１〜９のいずれか１項に記載の有害動物検知装置において、
前記誘引物は、餌又は疑似餌を含むことを特徴とする有害動物検知装置。
【請求項１１】
複数の有害動物検知装置と、
サーバと、
前記複数の有害動物検知装置の各々と無線通信自在であるとともに、ネットを介して前記サーバに接続可能になっている単一のゲートウェイと、
を備える有害動物検知システムであって、
各有害動物検知装置は、
上面に有害動物の誘引物が載置可能になっている載置部分を有し、赤外光が透過可能になっている赤外光透過部材と、
前記赤外光透過部材の下面側から前記載置部分に向けて赤外光を出射する光源と、
前記赤外光透過部材の前記載置部分を介して上面側から下面側に入射する赤外光の受光量を検出する赤外光センサーと、
前記赤外光センサーの出力に関連付けられて誘引物の存否が判別可能である存否情報を含む検知情報を前記ゲートウェイに無線送信する無線部と、
を備え、
前記サーバは、各有害動物検知装置から前記ゲートウェイを介して受信した各検知情報に基づいて各有害動物検知装置の設置個所における前記誘引物の存否を検出することを特徴とする有害動物検知システム。
【請求項１２】
請求項１１に記載の有害動物検知システムにおいて、
前記サーバは、複数のゲートウェイから、各ゲートウェイが中継して来る複数の有害動物検知装置の検知情報を受信することを特徴とする有害動物検知システム。
【請求項１３】
請求項１１又は１２に記載の有害動物検知システムにおいて、
各有害動物検知装置と前記ゲートウェイとの無線通信は、Ｓｕｂ−ＧＨｚ無線による通信であることを特徴とする有害動物検知システム。
【発明の詳細な説明】
【技術分野】
【０００１】
本発明は、ねずみやごきぶり等の有害動物の存否を検出する有害動物検知装置及び有害動物検知システムに関する。
【背景技術】
【０００２】
特許文献１は、ねずみ等の小動物の捕獲装置を開示する。該装置によれば、収容体内に誘引剤を仕掛け、収容体の開口部から収容体内に侵入した小動物の大きさを静電容量センサーで検出する。そして、該当する大きさであると判断すると、開口部の扉を閉じて、該小動物を収容体内に捕獲する。
【０００３】
特許文献２は、赤外線センサーを開示する。該赤外線センサーによれば、ケース内の赤外光の光源からケースの赤外光透過部材に向けて赤外光を間欠的に出射する。そして、該赤外光透過部材で反射して来る赤外光を検出し、検出した赤外光に基づいて赤外光透過部材の汚れを検出する。
【０００４】
特許文献３は、通信システムを開示する。該通信システムによれば、複数の端末が共通のゲートウェイに接続されるとともに、該ゲートウェイがネットを介してサーバに接続される。そして、サーバは、ネットを介して各端末からの情報を収集する。
【先行技術文献】
【特許文献】
【０００５】
【特許文献１】特開２０１９−１１８３３６号公報
【特許文献２】特許第５５０６１４２号公報
【特許文献３】特開２０１９−１０１６５８号公報
【発明の概要】
【発明が解決しようとする課題】
【０００６】
各建築物における複数の分散箇所おけるねずみ等の小動物の存否を把握するとともに、複数の建築物から該存否の情報を収集し、１つの箇所で、小動物の存否を一括管理するニーズが高まっている。
【０００７】
特許文献１−３は、個々に要素を開示するものの、上記ニーズに対処する総合的な構造を教示又は示唆するものではない。
【０００８】
本発明の目的は、分散した多数の箇所におけるねずみ等の有害動物の存否を一括管理するのに適する有害動物検知装置及び有害動物検知システムを提供することである。
【課題を解決するための手段】
【０００９】
本発明の有害動物検知装置は、
上面に有害動物の誘引物が載置可能になっている載置部分を有し、赤外光が透過可能になっている赤外光透過部材と、
前記赤外光透過部材の下面側から前記載置部分に向けて赤外光を出射する光源と、
前記赤外光透過部材の前記載置部分の上面側から下面側に入射する赤外光の受光量を出力する赤外光センサーと、
前記赤外光センサーの受光量に関連付けられて誘引物の存否が判別可能である存否情報を含む検知情報を無線送信する無線部と、
を備える。
【００１０】
本発明の有害動物検知装置によれば、赤外光透過部材の載置部分の上面に置かれた誘引物に対し、載置部分の下面側から赤外光を照射して、誘引物で反射して来る赤外光の受光量に関連付けられる存否情報を含む検知情報が無線送信される。これにより、有害動物検知装置の設置場所における有害動物の存否を円滑に判別することができる。
【００１１】
好ましくは、本発明の有害動物検知装置において、
前記存否情報は、前記有害動物検知装置の監視開始時において前記載置部分に誘引物の存在するときと存在しないときとの前記赤外光センサーの出力に係る情報を基準情報とし、監視中の前記赤外光センサーの出力に係る監視情報と前記基準情報とに基づいて誘引物の存否を判別可能とする情報である。
【００１２】
載置部分の上面における誘引物の非存在時の出力及び存在時の出力は、有害動物検知装置が配置される場所ごとに相違することがある。この構成によれば、監視開始時の基準情報と監視中の監視情報とに基づいて誘引物の存否を判別することにより判別精度を向上することができる。
【００１３】
好ましくは、本発明の有害動物検知装置において、
前記赤外光透過部材の周囲の少なくとも一方向に起立して配置され、赤外光を吸収する赤外光吸収部材を備える。
【００１４】
この構成によれば、赤外光吸収部材が、検出時のノイズとなる背景赤外光の遮蔽物として作用するとともに、光源からの赤外光を反射して赤外光センサーの方に向かうことを防止する。この結果、有害動物の存否の判別精度を向上することができる。
【００１５】
好ましくは、本発明の有害動物検知装置において、
前記赤外光吸収部材は、前記光源を収容するケースの上面側を開閉する蓋として、前記ケースに揺動自在に結合している。
【００１６】
この構成によれば、赤外光吸収部材は、有害動物検知装置の不使用時では、ケースの蓋として使用され、運搬時や保管時の有害動物検知装置の損傷を抑制することができる。
【００１７】
好ましくは、本発明の有害動物検知装置において、
前記赤外光吸収部材の前記載置部分側の面は、黒色である。
【００１８】
この構成によれば、面を黒色にするだけで、赤外光を吸収することができるので、赤外光吸収部材のコストを低減することができる。
【００１９】
好ましくは、本発明の有害動物検知装置において、
前記検知情報は、前記有害動物検知装置の識別子情報を含む。
【００２０】
有害動物検知装置が送信する検知情報に識別子情報を含まれなくても、有害動物検知装置の通信相手側が個々に有害動物検知装置に応答要求（例：ポーリング）を出して、該有害動物検知装置と通信するようにすれば、識別子情報が不要になることがある。しかしながら、通信相手側が複数の有害動物検知装置に対して個々ではなく一斉に応答要求を出すとき等では、検知情報に識別子情報が含まれている方が場所ごとの誘引物の存否を能率的に検出することができる。こうして、この構成によれば、通信相手側の処理負荷を軽減することができる。
【００２１】
好ましくは、本発明の有害動物検知装置において、
前記光源は、所定時間間隔で赤外光を出射する。
【００２２】
この構成によれば、有害動物検知装置の消費電力量を抑制することができる。
【００２３】
好ましくは、本発明の有害動物検知システムは、
前記存否情報を記憶する記憶部を備え、
前記無線部は、前記記憶部から読み出した前記存否情報を含む前記検知情報を無線送信する。
【００２４】
この構成によれば、検知情報を無線送信する時間間隔と、存否情報の生成間隔とが相違していても、存否情報を含む検知情報を有害動物検知装置から支障なく送信することができる。
【００２５】
好ましくは、本発明の有害動物検知装置において、
前記記憶部は、前記存否情報の生成時の時間情報を記憶し、
前記無線部は、前記記憶部から読み出した前記時間情報を前記検知情報に含める。
【００２６】
存否情報の生成時刻は、有害動物検知装置の通信相手側が有害動物検知装置からの検知情報を受信した時刻にすることもできる。しかしながら、この構成によれば、検知情報に時間情報を含めることにより存否情報の生成時刻を正確に把握することができる。
【００２７】
好ましくは、本発明の有害動物検知装置において、
前記誘引物は、餌又は疑似餌を含む。
【００２８】
この構成によれば、誘引物を餌又は疑似餌にして、有害動物を誘引物に円滑に引き付けて、有害動物に誘引物を有害動物検知装置から持ち去らせることかできる。
【００２９】
本発明の有害動物検知システムは、
複数の有害動物検知装置と、
サーバと、
前記複数の有害動物検知装置の各々と無線通信自在であるとともに、ネットを介して前記サーバに接続可能になっている単一のゲートウェイと、
を備える有害動物検知システムであって、
各有害動物検知装置は、
上面に有害動物の誘引物が載置可能になっている載置部分を有し、赤外光が透過可能になっている赤外光透過部材と、
前記赤外光透過部材の下面側から前記載置部分に向けて赤外光を出射する光源と、
前記赤外光透過部材の前記載置部分を介して上面側から下面側に入射する赤外光の受光量を検出する赤外光センサーと、
前記赤外光センサーの出力に関連付けられて誘引物の存否が判別可能である存否情報を含む検知情報を前記ゲートウェイに無線送信する無線部と、
を備え、
前記サーバは、各有害動物検知装置から前記ゲートウェイを介して受信した各検知情報に基づいて各有害動物検知装置の設置個所における前記誘引物の存否を検出する。
【００３０】
本発明の有害動物検知システムによれば、複数の場所の各々における有害動物の出現を単一のサーバから円滑に監視することができる。
【００３１】
好ましくは、本発明の有害動物検知システムにおいて、
前記サーバは、複数のゲートウェイから、各ゲートウェイが中継して来る複数の有害動物検知装置の検知情報を受信する。
【００３２】
この構成によれば、サーバは、複数の施設等に分散した有害動物検知装置の検知情報を各施設等のゲートウェイで束ねて支障なく監視することができる。
【００３３】
好ましくは、本発明の有害動物検知システムにおいて、
各有害動物検知装置と前記ゲートウェイとの無線通信は、Ｓｕｂ−ＧＨｚ無線による通信である。
【００３４】
この構成によれば、Ｓｕｂ−ＧＨｚ無線を使って、通有害動物検知装置とゲートウェイとの距離を伸ばすことができる。
【図面の簡単な説明】
【００３５】
【図１】有害動物検知装置の斜視図である。
【図２】開閉蓋を外した状態での有害動物検知装置の斜視図である。
【図３】開閉蓋を開いた状態での有害動物検知装置の斜視図である。
【図４】ケースの内部を図２のＤ矢視の方向から示す図である。
【図５】カバー板を外した状態でケースの内部を図２のＤ矢視方向に示す図である。
【図６】有害動物検知システムの構成図である。
【図７】有害動物検知装置のハード構成のブロック図である。
【図８】ゲートウェイのハード構成のブロック図である。
【図９】サーバのハード構成のブロック図である。
【図１０】有害動物検知装置に誘引物をセットした状態を示す図である。
【図１１】誘引物に誘引された小動物が誘引物を有害動物検知装置から取り去ろうとしている時を示す図である。
【図１２】有害動物検知装置を配置する時に作業員が行う処理のフローチャートである。
【図１３】小動物の監視中に有害動物検知装置のコントローラが行う処理のフローチャートである。
【図１４】小動物の監視中にサーバが行う処理のフローチャートである。
【発明を実施するための形態】
【００３６】
以下、本発明の好ましい実施態様について説明する。なお、本発明は、以下の実施態様に限定されないことは言うまでもない。本発明は、明細書に開示した技術的思想の範囲内で種々の態様で実施される。
【００３７】
（有害動物検知装置の構成）
図１は、有害動物検知装置１０の斜視図、図２は、開閉蓋１２を外した状態での有害動物検知装置１０の斜視図、図３は、開閉蓋１２を開いた状態での有害動物検知装置１０の斜視図である。
【００３８】
有害動物検知装置１０は、ケース１１と、ケース１１の上面を開閉する蓋としての開閉蓋１２とを備えている。開閉蓋１２は、揺動式であり、有害動物検知装置１０の上面から見て（平面視）が矩形であるケース１１の一方の長辺に沿う回動軸線の回りに回動自在にケース１１に結合している。
【００３９】
フック１７及び突起１８は、開閉蓋１２の回動軸線とは反対側の長辺部の中心部においてそれぞれ開閉蓋１２及び本体部１３に一体に形成されている。開閉蓋１２を、その回動軸線の回りに回動させて、開閉させるときは、突起１８の下の本体部１３の部位を外側から内側に押し込んで、突起１８を内側に少し変位させて、フック１７と突起１８との係止を解除してから、開閉蓋１２を回動させる。
【００４０】
ケース１１は、本体部１３と、本体部１３の上側の開口を閉鎖するカバー板１４とを備える。窓１６は、カバー板１４の長辺方向に中央部でかつ幅方向には突起１８側に寄った位置に形成され、開閉蓋１２の厚さ方向に貫通している。
【００４１】
赤外光透過部材１５は、赤外光Ｌｉが透過可能な材料から成り、窓１６を閉鎖するように、カバー板１４の裏面側に貼着されている。赤外光透過部材１５において窓１６に露出する部分は、誘引物８０（図１０）が載置する載置部分１９を構成する。
【００４２】
図４は、ケース１１の内部を図２のＤ４矢視の方向から示す図、図５は、カバー板１４を外した状態でケース１１の内部を図２のＤ５矢視方向に示す図である。
【００４３】
図４及び図５において、直流電源２０は、直列接続された単３の２つの乾電池２１を備える。乾電池２１は、ケース１１の本体部１３の取り外し自在の裏蓋を取り外して、交換可能になっている。回路基板２５は、幅広部２６ａと、幅広部２６ａの上辺の中央から上方に突出する幅狭部２６ｂとを有する。
【００４４】
回路基板２５は、上端が下端に対して直流電源２０の方に近づく傾斜角θ（＞０°）で本体部１３内に支持されている。以下、傾斜状態の回路基板２５の両面のうち、斜め方向の上及び下に向いている面をそれぞれ「表面」及び「裏面」という。
【００４５】
赤外光ＬＥＤ２７は、赤外光の光源として赤外光Ｌｉを窓１６に向けて出射する光源として、幅狭部２６ｂの表面に取り付けられている。コントローラ２８は、幅広部２６ａの表面に取り付けられている。赤外光センサーとしてのＰＤ（Photo Detector）２９は、幅狭部２６ｂの裏面に取り付けられて、窓１６から本体部１３内に入射して来る赤外光の受光量を検出する。コントローラ２８は、無線通信用のアンテナ３０を備えている。
【００４６】
ケース１１及び開閉蓋１２は、黒色の樹脂成型品から成る。理由は、赤外光ＬＥＤ２７から窓１６以外の方向に出射した赤外光Ｌｉや、窓１６の上面側から下面側に入射して来る赤外光がケース１１の内面側に反射して、ＰＤ２９に入射するのを防止するためである。このような反射光は、後述の誘引物８０（図１０）の存否をＰＤ２９の受光量に基づいて判別する際のノイズの赤外光となる。
【００４７】
回路基板２５を直立させることなく、傾斜角θで傾斜させた理由は、ケース１１の高さを低くするためと、窓１６を介してケース１１の外側に出射する赤外光ＬＥＤ２７の赤外光の光量の増大、及び窓１６を介して赤外光透過部材１５の上面側から下面側に入射する赤外光の光量の増大を図るためとである。
【００４８】
（有害動物検知システムの構成）
図６は、有害動物検知システム４０の構成図である。有害動物検知システム４０は、サーバ４１と、各建物４２に配備され、インターネット４４を介してサーバ４１に接続されている複数のゲートウェイ４３と、各ゲートウェイ４３に接続されている複数の有害動物検知装置１０とを備える。
【００４９】
共通の１つのゲートウェイ４３に接続される複数の有害動物検知装置１０は、同一の建物４２の異なる箇所に配置される。複数の有害動物検知装置１０は、同一の建物４２内において階ごとや、各階の区画ごとに、１つずつ配置され、建物４２全体では、小動物８１（図１１）の出現し易い箇所に分散して配置される。
【００５０】
各ゲートウェイ４３は、各有害動物検知装置１０とサーバ４１との間に介在し、両者間の通信を中継する。
【００５１】
図７は、有害動物検知装置１０のハード構成のブロック図である。有害動物検知装置１０は、直流電源２０、赤外光ＬＥＤ２７、コントローラ２８及びＰＤ２９を備える。コントローラ２８は、さらに、タイマ５０、無線通信部５１及び記憶部としてのメモリ５２を備える。
【００５２】
無線通信部５１の通信方式は、ＬＰＷＡ（Low Power Wide Area）のような、消費電力を抑えながら遠距離通信（通信距離は１００〜３００ｍ程度と近距離から中距離向け）を実現する無線通信方式が望ましい。ＬＰＷＡの代わりに近距離無線を使用することもできる。
【００５３】
図８は、ゲートウェイ４３のハード構成のブロック図である。ゲートウェイ４３は、端末側無線通信部５６、ネット側無線通信部５７、制御部５８、及びメモリ５９を備えている。端末側無線通信部５６は、有害動物検知装置１０の無線通信部５１と通信する。通信距離の最大値は、例えば約３０ｍである。ゲートウェイ４３は、建物４２に備え付けのコンセントに接続されて、商用電源を利用する。ネット側無線通信部５７は、有線又は無線でインターネット４４に接続される。
【００５４】
図９は、サーバ４１のハード構成のブロック図である。サーバ４１は、制御部６５、データベース６６及び表示器６７を備えている。制御部６５は、さらに、ポーリング部７０、誘引物有無判定部７１及び判定結果出力部７２を備えている。
【００５５】
（有害動物検知装置の使用説明）
図１０は、有害動物検知装置１０に誘引物８０をセットした状態を示す図である。図１１は、誘引物８０に誘引された小動物８１が誘引物８０を有害動物検知装置１０から取り去ろうとしている時を示す図である。
【００５６】
小動物８１は、例えば、ねずみであり、誘引物８０は、例えばひまわりの種である。図１０において、誘引物８０は、窓１６とほぼ同じ又はそれより少し大きい大きさであり、窓１６をほぼ塞ぐように、赤外光透過部材１５の載置部分１９の上面に載置される。
【００５７】
有害動物検知装置１０の使用では、誘引物８０を載置部分１９に置いて、建物４２内の適切な場所に仕掛けられ、その後の載置部分１９における誘引物８０の有無に基づいて小動物８１の存否（出現の有無）を判別する。
【００５８】
誘引物８０を見つけた小動物８１は、誘引物８０を持ち去り又は食べる。この結果、載置部分１９から誘引物８０が消失する。したがって、載置部分１９における誘引物８０の有無をＰＤ２９の受光量に基づいて判別することができる。すなわち、誘引物８０が載置部分１９に存在するときは、赤外光ＬＥＤ２７から出射した赤外光Ｌｉが、誘引物８０に反射して、ＰＤ２９に受光される量が増大する。これに対し、誘引物８０が、小動物８１により持ち去られ、載置部分１９から消失したときは、赤外光ＬＥＤ２７から出射した赤外光Ｌｉが、誘引物８０に反射して、ＰＤ２９に受光される量が減少する。
【００５９】
（有害動物検知装置の作用）
図１２は、有害動物検知装置１０を配置する時に作業員が行う処理のフローチャートである。
【００６０】
Ｓ１０１において、作業員は、小動物８１の存否を調査したい場所としての設定場所に有害動物検知装置１０を配置する。
【００６１】
Ｓ１０２において、作業員は、配置した有害動物検知装置１０のＩＤ（識別子）の情報及び設置場所の位置情報をメモリ５２に記憶させる。設置場所は、例えば「東京都新宿区・・・〇〇ビル□階△号室」のように、住所＋ビル名＋階＋区画のフォーマットで設定される。作業員は、インターネット４４を介してサーバ４１に接続可能な情報機器を作業中、携帯している。該情報機器にＧＰＳが装備されている場合には、ＧＰＳの位置データをそのまま設置場所の位置情報にすることができる。該情報は、メモリ５２に記憶させることができる。
【００６２】
作業者は、有害動物検知装置１０のＩＤ情報、位置情報及びそれらの対応付けの情報を、携帯する情報機器を介して、サーバ４１のデータベース６６に直接登録することもできる。有害動物検知装置１０のＩＤは、有害動物検知装置１０のＭＡＣアドレス（Media Access Control address）を選択することもできる。
【００６３】
Ｓ１０３では、作業員は、赤外光透過部材１５（詳細には、赤外光透過部材１５の載置部分１９）に誘引物８０の無い状態（図３）にする。そして、Ｓ１０４では、赤外光ＬＥＤ２７を点灯させ、ＰＤ２９の検出量を基準受光量Ｒａとして検出する。
【００６４】
この有害動物検知装置１０は、消費電力を節約して、乾電池２１の交換時期の間隔を長くするため（例：２〜３年）、赤外光ＬＥＤ２７は常時点灯することなく、測定時のみ間欠的に点灯させるようにしている。
【００６５】
Ｓ１０５では、作業員は、赤外光透過部材１５に誘引物８０を配置する。そして、Ｓ１０６では、赤外光ＬＥＤ２７を点灯させ、ＰＤ２９の検出量を基準受光量Ｒｂとして検出する。
【００６６】
ＳＴＥＰ１０７では、基準受光量Ｒａ，Ｒｂに係る情報は、基準情報としてメモリ５２に記憶される。基準情報は、後述の監視受光量Ｒｎの情報を含む出力情報に含められて、サーバ４１に送信される。又は、作業員が、有害動物検知装置１０の配置の時に、携帯する情報機器を介して予めデータベース６６に登録する。
【００６７】
有害動物検知装置１０の配置時に、基準受光量Ｒａ，Ｒｂを測定して、基準情報を記憶する理由は、有害動物検知装置１０の配置場所の相違や誘引物８０の種類に因る後述の監視受光量Ｒｎのばらつきを防止するためである。すなわち、有害動物検知装置１０が光の漏れている場所や壁の近くに配置されているときは、監視受光量Ｒｎが、ノイズの赤外光を含んで、増大してしまうことがある。なお、基準受光量Ｒｂ及び監視受光量Ｒｎは、誘引物８０の色や大きさによっても、ばらつきが生じる。
【００６８】
開閉蓋１２を起こした状態（図３）では、開閉蓋１２が、外乱の赤外光が窓１６に向かうことを抑制する。開閉蓋１２は、有害動物検知装置１０の配置時に、壁側や窓側に起立させること、すなわち外乱の赤外光や外乱の反射赤外光を遮蔽する側で起立させることが好ましい。
【００６９】
図１３は、小動物８１の監視中にコントローラ２８が行う処理のフローチャートである。
【００７０】
Ｓ１２１では、コントローラ２８は、タイマ５０の設定時間が経過したか否かを判定する。そして、判定が肯定的であるときは、処理をＳ１２２に進め、判定が否定的であるときは、処理を終了する。
【００７１】
タイマ５０の設定時間は、例えば、２時間とか、１日である。しかしながら、同一の建物４２内でも、有害動物検知装置１０の配置場所ごとに場所に応じて設定時間を決めることができる。なお、タイマ５０の設定時間（小動物８１の存否情報の生成の時間間隔）と、サーバ４１のポーリング部７０からのポーリングにより有害動物検知装置１０が存否情報を含む検知情報を無線通信部５１から無線送信する時間間隔とは、相違することがある。メモリ５２への存否情報の記憶は、これに対処するものである。
【００７２】
Ｓ１２２では、コントローラ２８は、赤外光ＬＥＤ２７を点灯させる。Ｓ１２３では、現時点（ｎｏｗ）の受光量としての監視受光量Ｒｎを検出する。
【００７３】
Ｓ１２４では、無線通信部５１は、検知情報をゲートウェイ４３に無線で送信する。検知情報には、基準受光量Ｒａ，Ｒｂ、監視受光量Ｒｎ、ＩＤ、位置情報及び検知時刻の情報を含めることができる。作業員が、有害動物検知装置１０の配置時に、基準受光量Ｒａ，Ｒｂ、ＩＤ及び位置情報を自分の情報機器を介してサーバ４１のデータベース６６に登録したときには、基準受光量Ｒａ，Ｒｂ及び位置情報は、検知情報から除外することも可能である。
【００７４】
（サーバの作用）
図１４は、小動物８１の監視中にサーバ４１が行う処理のフローチャートである。
【００７５】
Ｓ１４１では、ポーリング部７０は、現在時刻が情報収集時刻（ポーリング時刻）になったか否かを判定する。そして、判定結果が肯定的であるときには、処理をＳ１４２に進め、否定的であるときは、処理を終了する。情報収集時刻は、典型的には、ゲートウェイ４３ごとに設定される。典型的には、情報収集時刻は、例えば２時間に１回とか、１日に１回とかで設定される。情報収集時刻の時間間隔は、３２ごとに設定することができる。
【００７６】
Ｓ１４２では、ポーリング部７０は、ポーリングを実行する。ポーリングは、応答を要求する有害動物検知装置１０を指定して、全部のゲートウェイ４３に送信される。ポーリングに対する返信は、応答要求のあった有害動物検知装置１０のみからとなる。応答を要求する有害動物検知装置１０は、建物４２ごとに選定することもできる。
【００７７】
Ｓ１４３では、制御部６５は、ポーリングに対して応答して来た有害動物検知装置１０からの検知情報を収集して、データベース６６に蓄積する。
【００７８】
Ｓ１４４では、誘引物有無判定部７１は、収集情報に基づいて各有害動物検知装置１０の設置場所における小動物８１の出現の有無を判定し、小動物８１が出現した設置場所（出現場所）を特定する。
【００７９】
Ｓ１４５では、判定結果出力部７２は、誘引物有無判定部７１が特定した出現場所を表示器６７等に出力する。
【００８０】
（変形例）
小動物８１は、誘引物８０を赤外光透過部材１５から取り出して、中身を食べて、殻を赤外光透過部材１５に戻したり、半分だけ食べて、後の半分は残すこともあり得る。本発明では、誘引物の大きさが減少したときも、例えば監視受光量Ｒｎを基準受光量Ｒａと対比して、有害動物の存否を検出することが可能である。
【００８１】
実施形態の有害動物検知システム４０では、どの建物４２の有害動物検知装置１０にも同種の誘引物８０を仕掛けるが、建物４２ごとに異種の誘引物８０を仕掛けて、建物４２ごとに存否判別の有害動物の種類を変えることもできる。また、同一の建物４２の下層階に配置する有害動物検知装置１０では、ごきぶりの存否を判別し、上層階ではねずみの存否を判別するというように、複数種の有害動物の存否判別を混在させることができる。
【００８２】
本発明では、季節ごとに、誘引物の種類を変更して、存否判別の有害動物の種類を季節ごとに変更することができる。この変更は、特定の建物４２についてのみ、対象とすることができる。
【００８３】
実施形態では、ネットとしてインターネット４４が用いられている。本発明では、ネットとしてローカルエリアネットワークを利用することもできる。
【符号の説明】
【００８４】
１０・・・有害動物検知装置、１２・・・開閉蓋（蓋）、１５・・・赤外光透過部材、１９・・・載置部分、２０・・・直流電源、２５・・・回路基板、２７・・・ＬＥＤ（光源）、２９・・・ＰＤ（赤外光センサー）、４０・・・有害動物検知システム、４１・・・サーバ、４２・・・建物、４３・・・ゲートウェイ、４４・・・インターネット（ネット）、５０・・・タイマ、５１・・・無線通信部、５２・・・メモリ（記憶部）、６５・・・制御部、６６・・・データベース、６７・・・表示器、７０・・・ポーリング部、７１・・・誘引物有無判定部、７２・・・判定結果出力部、８０・・・誘引物、８１・・・小動物。
【要約】
【課題】分散した多数の箇所における有害動物の存否を一括管理するのに適する有害動物検知装置を提供する。
【解決手段】有害動物検知装置１０は、誘引物８０が上面に載置される載置部分１９を有する赤外光透過部材１５と、載置部分１９の下面側から載置部分１９に向けて赤外光Ｌｉを出射する赤外光ＬＥＤ２７と、載置部分１９の上面側から下面側に入射する赤外光の受光量を検出するＰＤ２９と、ＰＤ２９の出力に基づいて誘引物８０の存否が判別可能である存否情報を含む検知情報を無線送信する無線通信部５１と、を備える。
【選択図】図５【図１】
0006779399.tif 000002
【図２】
0006779399.tif 000003
【図３】
0006779399.tif 000004
【図４】
0006779399.tif 000005
【図５】
0006779399.tif 000006
【図６】
0006779399.tif 000007
【図７】
0006779399.tif 000008
【図８】
0006779399.tif 000009
【図９】
0006779399.tif 000010
【図１０】
0006779399.tif 000011
【図１１】
0006779399.tif 000012
【図１２】
0006779399.tif 000013
【図１３】
0006779399.tif 000014
【図１４】
0006779399.tif 000015